(57)【特許請求の範囲】
【請求項１】
遊技領域が形成された遊技盤を保持する本体枠と、前記本体枠に前記遊技盤を覆うようにして開閉自在に取り付けられた前面扉と、前記前面扉を施錠する錠前装置を備えたパチンコ機において、
前記錠前装置は、
前記本体枠に設けられ、鍵の回動に連動して上下方向にスライドすると共に、当該上下方向のうち、一方の方向である施錠方向へ付勢される竿部材と、
前記本体枠に取り付けられ、前記竿部材の前記スライドに連動して、前記前面扉を施錠する施錠位置と前記前面扉を解錠する解錠位置との間で回動するフック部材と、
前記前面扉に取り付けられ、可撓性材料によって構成されて、施錠状態において前記フック部材を係止し、解錠状態において前記フック部材を解放するフック受け部と、を有し、
前記前面扉を閉めると、前記フック部材の前記フック受け部への進入が、前記フック受け部が撓むことにより許可されて施錠状態となり、
前記鍵を回動して前記竿部材を前記施錠方向に抗する方向にスライドさせることにより、前記フック部材が前記フック受け部から解放されて解錠状態となるように構成されたことを特徴とする錠前装置を備えたパチンコ機。
【請求項２】
前記フック部材は、前記本体枠に保持されて前記遊技盤に略直交する方向に延びた軸中心回りに回動する軸本体と、前記軸本体から前記前面扉側に延長し、矢尻状の先端を有する先端部と、前記軸本体の後端側に固定されて前記竿部材の前記スライドに連動して前記軸本体を回動させるカム部材と、前記軸本体を前記軸中心回りの施錠位置へ付勢するバネ部材とを有し、
前記竿部材は、前記カム部材と係合する係合片を有し、
前記鍵を回動して前記竿部材を前記施錠方向に抗する方向にスライドさせることにより、前記軸本体が前記軸中心回りに回動して前記先端部が前記施錠位置から前記解錠位置まで回動し、
前記フック受け部は、前記フック部材が前記施錠位置にある状態で前記前面扉を閉めると、この閉動作に伴って自身が撓みながら前記先端部を受け入れて係止すると共に、前記フック部材が前記解錠位置にある状態で前記前面扉を開けると、前記先端部の解放を妨げないように構成された先端受け部材を有することを特徴とする請求項１に記載のパチンコ機。
【発明の詳細な説明】
【技術分野】
【０００１】
本発明は、パチンコ店等の遊技場に設置して使用されるパチンコ機に関する。
【背景技術】
【０００２】
図１２に示すように、一般に、パチンコ機Ｐは、遊技場の島設備に設置される縦長方形状の機枠１と、該機枠１に扉状に開閉自在に取り付けられた本体枠２と、該本体枠２の前面に扉状に開閉自在に取り付けられたガラス扉（前面扉）４を備えており、該ガラス扉４には、その開口部８にガラスやプラスチック等からなる透明板９が取り付けられている。
【０００３】
この本体枠２には遊技盤３が取り付けられており、この遊技盤３の表側（つまり、ガラス扉４側）には、各種入賞口５や入賞球装置６、障害釘（図示せず）などが配置された遊技領域３ａが設けられ、この遊技盤３の裏側には各種制御基板（図示せず）等が取り付けられている。
発射装置から打ち出された遊技球は該遊技領域３ａを流下するように構成されており、遊技者は、ガラス扉４に取り付けられた透明板９を通して、この遊技領域３ａを観察することができる。
【０００４】
通常、このガラス扉４（前面扉）は、遊技盤３に対するセキュリティーを確保するために、本体枠２との間で錠前装置１０によって施錠されている。
しかし、遊技領域３ａ上での球詰まり等に対処するためには、この施錠を解除してガラス扉４を開閉する必要があり、しかも遊技場の管理者によるこのようなガラス扉４の開閉動作は、比較的、頻繁に行われる行為となっている。
【０００５】
従来、この錠前装置１０は、内部の構造体であるフック部及びフック受け部が金属製で形成されており、長期間の使用状況においては、部品どうしの摺動により動作の渋りが発生しやすい。
また、この錠前装置１０に取り付けられたフック部は、垂直方向に回転または上下動させるために錠前ベース部とリベットで保持されているが、リベットの構造上、フック締結部に十分なクリアランスが必要となるため、フック部自体が前後左右に大きくがガタついてしまう。
このガタつきは、錠前装置１０内部における偏摩耗の原因となり、ガラス扉４の施錠・解錠動作の渋りの原因ともなっている。
そして、このガタつきは、ガラス扉４の本体枠２に対するガタつきの原因となり、不正遊技者が、このガタつきによって生じるガラス扉４と本体枠２との隙間からピアノ線やセルロイドを挿入して遊技盤３に対して不正行為を働く等の、セキュリティー上の問題も生じる。
【先行技術文献】
【特許文献】
【０００６】
【特許文献１】特開２００８−４３４１８号公報
【発明の概要】
【発明が解決しようとする課題】
【０００７】
本発明は、上記した実情に鑑みてなされたものであり、その目的は、ガラス扉（前面扉）の本体枠に対する開閉動作に伴う渋りやガタつきを防止し、不正遊技を予防することのできるパチンコ機を提供することである。
【課題を解決するための手段】
【０００８】
上記目的を達成するため、本発明は、遊技領域が形成された遊技盤を保持する本体枠と、前記本体枠に前記遊技盤を覆うようにして開閉自在に取り付けられた前面扉と、前記前面扉を施錠する錠前装置を備えたパチンコ機において、
前記錠前装置は、前記本体枠に設けられ、鍵の回動に連動して上下方向にスライドすると共に、当該上下方向のうち、一方の方向である施錠方向へ付勢される竿部材と、前記本体枠に取り付けられ、前記竿部材の前記スライドに連動して、前記前面扉を施錠する施錠位置と前記前面扉を解錠する解錠位置との間で回動するフック部材と、前記前面扉に取り付けられ、可撓性材料によって構成されて、施錠状態において前記フック部材を係止し、解錠状態において前記フック部材を解放するフック受け部と、を有し、
前記前面扉を閉めると、前記フック部材の前記フック受け部への進入が、前記フック受け部が撓むことにより許可されて施錠状態となり、
前記鍵を回動して前記竿部材を前記施錠方向に抗する方向にスライドさせることにより、前記フック部材が前記フック受け部から解放されて解錠状態となるように構成されたことを特徴とする錠前装置を備えたことを特徴としている。
【０００９】
このように構成したことにより、本発明は、施錠状態において、フック受け部の可撓性によりガラス扉（前面扉）の本体枠に対する押圧力が機能することとなり、ガラス扉と本体枠とのガタつきが防止され、不正遊技を予防することができる。
【００１０】
また、上記目的を達成するため、本発明は、前記フック部材は、前記本体枠に保持されて前記遊技盤に略直行する方向に延びた軸中心回りに回動する軸本体と、前記軸本体から前記前面扉側に延長し、矢尻状の先端を有する先端部と、前記軸本体の後端側に固定されて前記竿部材の前記スライドに連動して前記軸本体を回動させるカム部材と、前記軸本体を前記軸中心回りの施錠位置へ付勢するバネ部材とを有し、
前記竿部材は、前記カム部材と係合する係合片を有し、
前記鍵を回動して前記竿部材を前記施錠方向に抗する方向へスライドさせることにより、前記軸本体が前記軸中心回りに回動して前記先端部が前記施錠位置から前記解錠位置まで回動し、
前記フック受け部は、前記フック部材が前記施錠位置にある状態で前記前面扉を閉めると、この閉動作に伴って自身が撓みながら前記先端部を受け入れて係止すると共に、前記フック部材が前記解錠位置にある状態で前記前面扉を開けると、前記先端部の解放を妨げないように構成された先端受け部材を有することを特徴としている。
【００１１】
このように構成したことにより、本発明は、ガラス扉（前面扉）の施錠が簡単に行えると共に、施錠時においてフック受け部とフック部材の係合のためのクリアランスを大きくする必要がないので、本体枠に対するガタつき防止がより効率的に行われるとともに、係合機構を単純に構成することができるので、長期間の使用状況においても、該ガラス扉の開閉動作を円滑に行うことができる。
【００１２】
このように、本発明によれば、長期間使用することに伴う施錠や解錠での動作渋りを改善することができるとともに、ガラス扉（前面扉）の本体枠に対するガタつきを防止して不正遊技を予防することができる。
【図面の簡単な説明】
【００１３】
【図１】本発明の実施の形態例に係るパチンコ機の正面上方からの斜視図。
【図２】本発明の実施の形態例に係るパチンコ機の遊技盤が組み付けられない状態での正面上方からの斜視図及び錠前装置の部分拡大図。
【図３】本発明の実施の形態例に係るパチンコ機の前面扉を解錠して開いた状態でのパチンコ機背面上方からの斜視図。
【図４】本発明の実施の形態例に係るフック部材の施錠時における前方からの斜視図及び側面図。
【図５】本発明の実施の形態例に係るフック部材の矢尻状部の平面に沿って切断した側断面図。
【図６】本発明の実施の形態例に係るフック部材の分解斜視図とその完成図。
【図７】本発明の実施の形態例に係るフック受け部の斜視図及び側断面図。
【図８】本発明の実施の形態例に係るガラス扉を施錠する状態を、フック部材の鉛直方向での断面図で説明する説明図。
【図９】本発明の実施の形態例に係るガラス扉を解錠する状態説明図（１）。
【図１０】本発明の実施の形態例に係るガラス扉を解錠する状態説明図（２）。
【図１１】本発明の実施の形態例に係るガラス扉を解錠する状態説明図（３）。
【図１２】従来例におけるパチンコ機の開扉時の説明図。
【発明を実施するための形態】
【００１４】
以下、本発明の実施の形態例を、図面を参照して説明する。
図１に示すように、本発明の実施の形態例に係るパチンコ機Ｐは、遊技場の島設備に設置される縦長方形状の機枠１と、機枠１に扉状に開閉自在に取り付けられた本体枠２と、本体枠２の内側に収容された遊技盤３（図１には、図示せず。）と、本体枠２の前面に扉状に開閉自在に取り付けられ、中央に大きく開口部８が形成されたガラス扉（前面扉）４と、このガラス扉４の該開口部８に取り付けられた透明なガラス板９等を具備している。
これら機枠１、本体枠２、遊技盤３，ガラス扉（前面扉）４，ガラス板９の配置構造は、図１２に示す従来例と同様である。
また、ガラス扉４を本体枠２から解錠するための鍵口１１が、ガラス扉４の正面側（遊技者側）に設けられている。
【００１５】
このうち、遊技盤３を収納しない状態での本体枠２を、図２に示す。
図２に示すように、本体枠２の正面から見て右側枠の上下の所定位置に、３個のフック部材２０が、その矢尻状の先端部２１を本体枠２から前面扉４（図２では、図示しない。）側へ突出するように設けられている。また、該本体枠２には、正面から見て左側枠に、前面扉４を取り付けるための蝶番２ａが設けられている。
【００１６】
つぎに、このフック部材２０の詳細を、図４〜６を用いて説明する。
フック部材２０は、本体枠２に保持されて遊技盤３に略直交する方向に延びた軸中心回りに回動する軸本体２２と、該軸本体２２から前面扉４側に延長し、矢尻状の先端を有する先端部２１と、該軸本体２２の後端側に固定されて竿部材のスライドに連動して軸本体２２を回動させるカム部材２４と、軸本体２２を本体枠２に軸中心回りに回動可能な状態で取り付けるためのベース部２３とを有している。
そして、この矢尻状の先端部２１は、平板状に形成されていると共に、軸本体２２の直径よりも外に張り出した係合部２１ａを有している。
【００１７】
また、軸本体２２には、図６に示すように、軸中心回りにコイルバネ２６の収納空間２２ｅを形成する軸本体鍔部２２ｄが設けられており、その軸本体鍔部２２ｄには、その外周面に設けられて軸中心回りの位置決めをする位置決め突起２２ａと、その軸本体鍔部２２ｄの一部が切り欠かれてそこに前記コイルバネ２６の一端を支持する切欠部２２ｃとが設けられている。
さらに、該軸本体２２は、その後端に、カム部材２４に嵌合する嵌合部２２ｂを有しており、その嵌合部２２ｂの終端には、嵌合されるカム部材２４を固定するためのカム固定部材２５用に、ねじ穴２２ｆが設けられている。
【００１８】
また、ベース部２３には、軸本体２２の後端部分を軸中心回りに回動可能に支持するベース部鍔部２３ｄが設けられており、該ベース部鍔部２３ｄには、軸本体鍔部２２ｄと同様に、その軸中心回りにコイルバネ２６のベース部側の収納空間２３ｅが形成されており、該収納空間２３ｅは軸本体側の収納空間２２ｅと連通することで、コイルバネ２６全体を収納する空間を形成している。
また、このベース部鍔部２３ｄの外周面には、軸本体鍔部２２ｄの外周面に設けられている位置決め突起２２ａと常態において当接するベース部位置決め突起２３ａが設けられている。
さらに、該ベース部２３には該ベース部２３を本体枠２の所定位置に取り付けるためのベース部取付部２３ｂが設けられており、このベース取付部２３ｂに設けられた取付穴によって該ベース部２３が本体枠２に取り付けられる。
【００１９】
また、軸本体２２は、ベース部２３内に嵌合されて、該ベース部２３に対しその軸線回りに回動可能とされており、嵌合時には、その後端に設けられている嵌合部２２ｂが該ベース部２３から首を出すように構成されている。
そして、このように首を出した嵌合部２２ｂには、カム部材２４が、その軸線回りに位置決めされて嵌合される。
【００２０】
このカム部材２４は、この嵌合部２２ｂに嵌合する嵌合穴２４ａと、後述する竿部材４０に係合するカムフロアー２４ｂを有している。
このカム部材２４は、嵌合部２２ｂの後端面に設けられたねじ穴２２ｆにカム部材２４の上からカム固定部材２５を締め付けることによって、軸本体２２に対し軸線回りの所定角度で固定されて取り付けられる。
【００２１】
さらに、図５及び図６に示すように、軸本体鍔部２２ｄのコイルバネの収納空間２２ｅとベース部鍔部２３ｄのコイルバネの収納空間２３ｅとによって形成される収納空間にはコイルバネ２６が収納されており、該コイルバネ２６の一端は軸本体鍔部２２ｄに形成された切欠部２２ｃに嵌め込まれ、他端はベース部２３に固定されている。
該コイルバネ２６は、軸本体２２をベース部２３に対し軸線回りに付勢するように構成されており、図６に示す組立完成時においては、常態において、軸本体２２側に設けられている位置決め突起２２ａがベース部２３に設けられているベース部位置決め突起２３ａにコイルバネ２６によりバネ付勢されて当接し、その際、カムフロアー２４ｂの位置は、ベース部２３を本体枠２に固定した状態で、カム部材２４のカムフロアー２４ｂをコイルバネ２６のバネ付勢に抗して下方（ａ方向）に引き下げると、その先端部２１の矢尻状部分を、常態から方向ｂに回動させることができる位置とされている。
【００２２】
このように組み立てられたフック部材２０は、図１０に示すように、その先端部２１の矢尻状部分の平面が常態において略鉛直になるように、ベース取付部２３ｂにより本体枠２にそれぞれ取り付けられる。
【００２３】
次に、図３に示すように、本体枠２に取り付けられたフック部材２０に対向するように、ガラス扉（前面扉）４側には、フック受け部３０が取り付けられている。
該フック受け部３０は、弾性変形可能な合成樹脂からなる可撓性材料によって構成されており、施錠状態において前記フック部材２０の先端部２１を係止し、解錠状態において該フック部材２０の先端部２１を解放するように構成されている。
このため、図７に示すように、該フック受け部３０は、フック部材２０の先端部２１を受け入れる挿通開口３０ａと、施錠時にフック部材２０の先端部２１を係止するフック先端係止部（先端受け部材）３０ｂと、該フック受け部３０自体をガラス扉（前面扉）４に取り付けるためのフック受け取付部３０ｃとを有している。
【００２４】
この挿通開口３０ａは、図１０に示すように、その方円形の開口面に対し、前記したフック部材２０が矢尻状の先端部２１の平板面を略鉛直状態にして挿入されるが、図１１に示すような水平状態で挿入されるとしても挿入可能な開口形状を有している。
これに対し、該フック先端係止部（先端受け部材）３０ｂは、図７に示すように、該挿通開口３０ａの上下の縁部に設けられた１対の板状体であって、該１対の板状体は、先端部２１が挿入される奥方向に向かって延長されるフリーな先端をそれぞれ有していると共に、該フリーな先端によって形成される開口面が、挿入される奥方向に向かって次第に小さくなるように形成されている。そして、その最奥での開口面は、フック部材２０の平板状の先端部２１が、図３に示すような略水平状態で該フック受け部材３０に対し抜き差しされたときのみ、先端部２１が該フック先端係止部３０ｂに接触することがないような開口形状とされている。したがって、先端部２１の矢尻状部分の平板面を略鉛直状態にして挿入すると、先端部２１の係合部２１ａが該フック先端係止部（先端受け部材）３０ｂに当接し、開口面を次第に拡大するように該フック先端係止部（先端受け部材）３０ｂを弾性変形させながら挿入されることとなる。
そして、このフック受け部３０は、フック受け取付部３０ｃによってガラス扉（前面扉）４に取り付けられるが、その際、図３に示すように、フック部材２０の平板状の先端部２１が略水平状態であるときに、該先端部２１を該フック受け部３０に対し抜き差ししたとしても、該先端部２１が該フック先端係止部３０ｂに接触することのないように取り付けられる。
【００２５】
一方、竿部材４０は、図３及び図１０、１１に示すように、本体枠２の上下方向に沿って延在し、かつ、上下方向にスライド可能に設けられており、図２に示す３個のフック部材２０のそれぞれに対応する位置にカムフロアー駆動部（係合片）４０ａが形成されている。そして、このカムフロアー駆動部４０ａは、３個のフック部材２０のカムフロアー２４ｂにそれぞれ係合しており、竿部材４０の下方向へのスライド動作によってカムフロアー２４ｂを回動させ、これによりフック部材２０がそれぞれ連動して回動するように構成されている。
また、該竿部材４０は錠前装置１０における解錠動作に連動するように構成されており（図示しない）、遊技店の店員等が前面扉４の鍵口１１から鍵を差し込み、解錠動作をすると、竿部材４０が下方向に所定量スライドするように構成されている。
そして、この竿部材４０のスライドに連動して、カムフロアー２４ｂを介してフック部材２０が所定量回動することにより、該フック部材２０の先端部２１が、その矢尻状の平面を常態である鉛直状態から水平状態に変動するように構成されている。
【００２６】
以下、このように構成された本発明の実施例における施錠動作及び解錠動作について、図８を用いて説明する。
まず、ガラス扉（前面扉）４が施錠される動作を説明する。
図８に示すように、本体枠２に取り付けられたフック部材２０は、コイルバネ２６等により、常態において、その先端部２１が矢尻状の平面を略鉛直状態とされている。この状態でガラス扉４を閉めようとすると、該ガラス扉４に取り付けられたフック受け部３０の挿通開口３０ａに先端部２１が挿入される状態となる。図８（ａ）
【００２７】
この状態からガラス扉４が更に閉められると、先端部２１がフック受け部３０内に挿入されて行くが、フック受け部３０のフック先端係止部３０ｂはフリーな先端を有しており、しかも弾性変形可能な合成樹脂からなる可撓性材料で作成されているので、先端部２１が挿入されて行くにつれ、その係合部２１ａがフック先端係止部３０ｂを押し広げていくこととなる。図８（ｂ）
【００２８】
次いで、ガラス扉４が完全に閉められると、フック先端係止部３０ｂのフリーな先端が係合部２１ａを乗り越え、該フック先端係止部３０ｂがその弾発力により弾性復帰することとなって、フック先端係止部３０ｂのフリーな先端は係合部２１ａと係合する状態となる。図８（ｃ）
なお、この状態を構成するため、ガラス扉４が完全に閉められ状態において、フック先端係止部３０ｂのフリーな先端とフック部材２０の係合部２１ａとが係合するように、本体枠２からの該係合部２１ａの突出量とフック先端係止部３０ｂの長さとが、所定の関係で設計されている。
この図８（ｃ）に示す状態は、フック部材２０がフック受け部材３０によりロックされ、しかも、フック受け部材３０は弾性変形可能な合成樹脂からなる可撓性材料で作製されているので、本体枠２とガラス扉４との間のガタつきが吸収される状態となっている。
【００２９】
次に、このように施錠されたガラス扉４を解錠する動作について、図３、図９〜図１１を用いて説明する。
上記したとおり、ガラス扉４が施錠された状態では、フック部材２０の先端部２１は、図１０に示すように、その平板面が略鉛直の状態となっている。この状態から、錠前装置１０の鍵口１１に鍵を差し込んで解錠方向に回動させると、この回動に連動して、竿部材４０は図９矢印ｃ方向に所定量スライドされる。
竿部材４０はカムフロアー２４ｂと係合しているので、コイルバネ２６の弾発力を受けながらも下方にスライドしてゆき、フック部材２１を所定角度回動させ、先端部２１の矢尻状部分の平面を略鉛直状態から略水平状態とする。図１１
この矢尻状部分の平板面が略水平となる状態では、図３に示すように、フック受け部材３０のフック先端係止部３０ｂとフック部材２０の係合部２１ａとの係合が外れるので、フック受け部材３０からフック部材２０を抜くことができ、ガラス扉４を本体枠２から開放することができる。
【００３０】
フック部材２０は、コイルバネ２６の弾発力により、図８（ａ）に示す常態、つまり先端部２１の矢尻状部分の平面を略鉛直とする方向に付勢されているので、ガラス扉４をこのように開放した後、差し込んだ鍵を引き抜くなどにより、先端部２１の矢尻状部分の平面は略鉛直状態に復帰することとなる。
したがって、この常態からガラス扉４を閉めるだけで、ガラス扉４を簡単に再度、施錠することができる。
【００３１】
なお、本発明は上述した実施形態例に限定されることはなく、特許請求の範囲に記載された発明の技術思想の範囲で様々な変形が可能である。例えば、以下のように当業者が適宜、設計変更をすることが可能である。
（１）上記実施の形態例では、フック部材２０がベース部２３によって本体枠２に取り付けられているが、該ベース部２３を用いることなく、本体枠２に該ベース部２３の機能を持たせる構造とした上で、フック部材２０を直接、本体枠２に取り付けることもできる。
【００３２】
（２）上記実施の形態例では、矢尻状の先端部２１の平面を常態において鉛直となるように構成したが、これとは反対に、常態において水平とし、その水平状態においてフック受け部材３０と係合するように構成することもできる。
【００３３】
（３）上記実施の形態例では、先端部２１の矢尻状部分の形状を平板状としたが、必ずしも平板状にする必要はなく、該先端部２１が常態から９０度回転することによって、フック受け部材３０のフック先端係止部（先端受け部材）３０ｂと該先端部２１の矢尻状部分との係合が外れるような構成であれば、例えば、該矢尻状部分の鉛直方向での断面が楕円状などの形状をしていても良い。
【００３４】
（４）上記実施の形態例では、コイルバネ２６はカム部材２４に対する張力の付勢を引っ張り力で行っているが、押圧力を付勢するように構成することも可能であり、その場合は、軸本体２２側に設けられている位置決め突起２２ａとベース部２３に設けられているベース部位置決め突起２３ａとの当接する位置関係を変更することが必要である。
【００３５】
（５）上記実施の形態例では、竿部材４０の施錠方向への付勢手段は、コイルバネ２６によって行われているが、これに加えて、或いはこれに替えて、竿部材４０に対して、フック部材の先端部を常態にする方向に付勢する張力を、直接付加する構成とすることもできる。
【符号の説明】
【００３６】
１    機枠
２    本体枠
３    遊技盤
４    ガラス扉（前面扉）
２０  フック部材
２１  先端部
２１ａ  係合部
２２  軸本体
２３  ベース部
２４  カム部材
２５  カム固定部材
２６  コイルバネ（バネ部材）
３０  フック受け部
３０ｂ  フック先端係止部（先端受け部材）
４０  竿部材
４０ａ  カムフロアー駆動部（係合片）  
【図１】
0005651492.tif 000002
【図２】
0005651492.tif 000003
【図３】
0005651492.tif 000004
【図４】
0005651492.tif 000005
【図５】
0005651492.tif 000006
【図６】
0005651492.tif 000007
【図７】
0005651492.tif 000008
【図８】
0005651492.tif 000009
【図９】
0005651492.tif 000010
【図１０】
0005651492.tif 000011
【図１１】
0005651492.tif 000012
【図１２】
0005651492.tif 000013